(57)【要約】【課題】並設した２本の単位袋織紐の隣接側辺相互を連結一体化して１本の紐とした構造の袋織紐に関し、女性用衣服や装身具の素材として用いられる袋織テープにおいて、熟練や縫合の手数を要しないでより外観に優れた袋織テープを得ることを課題にしている。【解決手段】平面的に展開された状態で並設された２本の袋織紐がその隣接辺部分の経糸により連続的に又は間欠的に連結されている。２本の袋織紐は、連結された辺で折り曲げて重ね合わせた状態で製織され、辺を連結するための複数本の経糸は、重ね合わせた状態の袋織紐の１側辺で上下の袋織紐の間に掛け渡されるように開口させて織込まれている。経糸は、上下に糸目を備えたヘルドの上下の糸目にそれぞれ挿通されて織込まれる。【選択図】      図３
0003102779.tif 000002
【実用新案登録請求の範囲】
【請求項１】
平面的に展開された状態で並設された２本の袋織紐がその隣接辺部分の経糸により連結されている、袋織テープ。
【請求項２】
前記２本の袋織紐が前記連結された辺で折り曲げて重ね合わせた状態で製織された袋織紐であり、前記経糸が前記重ね合わせた状態の袋織紐の１側辺で上下の袋織紐の間に掛け渡されるように開口させて織込まれた複数本の経糸である、請求項１記載の袋織テープ。
【請求項３】
前記上下の袋織紐のそれぞれの経糸が上下に糸目を備えたヘルドの上下の糸目にそれぞれ挿通されて織込まれた経糸である、請求項２記載の袋織テープ。
【請求項４】
平面的に展開された状態で並設された２本の袋織紐がその隣接辺部分の経糸により間欠的に連結されている、袋織テープ。
【請求項５】
前記２本の袋織紐が前記連結された辺で折り曲げて重ね合わせた状態で製織された袋織紐であり、前記経糸が前記重ね合わせた状態の袋織紐の１側辺で上下の袋織紐の間に掛け渡されるように開口させる操作を間欠的に行って織込まれた複数本の経糸である、請求項４記載の袋織テープ。
【請求項６】
前記上下の袋織紐のそれぞれの経糸が上下に糸目を備えたヘルドの上下の糸目にそれぞれ挿通されて織込まれた経糸である、請求項５記載の袋織テープ。
【考案の詳細な説明】
【技術分野】
【０００１】
この考案は、袋織紐に関するもので、並設した２本の単位袋織紐の隣接側辺相互を連結一体化して１本の紐とした構造の袋織紐に関するものである。
【背景技術】
【０００２】
女性の衣服に用いる例えばストラップ（肩紐）の紐として、並設した２本の袋織紐の隣接側辺相互を連結一体化して１本にしたテープが従来から用いられいる。この種のテープは、ソフトで肌触りが柔らかく、厚みもあってファッション性に優れ、単位となる袋織紐を色違いにすることにより、種々のデザインのものが得られるという長所がある。
【０００３】
このような袋織テープは、従来、図７に示すように、２本の袋織紐１、２の隣接辺相互を突合わせた状態で並置してミシン糸２３で両者をジグザグに縫合して製造されていた。
【０００４】
図７に示したものは、袋織テープで製造した女性衣服用のストラップで、所定長さに切断した色違いの２本の袋織紐１、２を並置してその両端部分２４、２５の所定長さを縫合し、中間部２６を縫合しないで２本のままにし、縫合した部分２７に留具２８、２９、３０を取付けたものである。この種のストラップは、肩に位置する部分が色違いの細い２本の袋織紐となった優美な装飾性に特徴がある。
【考案の開示】
【考案が解決しようとする課題】
【０００５】
しかし図７に示した従来構造のストラップは、２本の袋織紐を縫合するのに熟練を要し、かつそのミシン糸がテープの外表面に現れるために外観が悪くなり、肌触りも悪くなるという問題があった。そこでこの考案は、図７に示したストラップその他の女性用衣服や装身具の素材として用いられる袋織テープにおいて、熟練や縫合の手数を要しないでより外観に優れた袋織テープを得ることを課題にしている。
【課題を解決するための手段】
【０００６】
上記課題を解決した本願の請求項１記載の袋織テープは、平面的に展開された状態で並設された２本の袋織紐がその隣接辺部分の経糸により連結されているというものである。
【０００７】
請求項２の考案は、上記構造の袋織テープにおける２本の袋織紐が、前記連結された辺で折り曲げて重ね合わせた状態で製織された袋織紐であり、前記経糸が前記重ね合わせた状態の袋織紐の１側辺で上下の袋織紐の間に掛け渡されるように開口させて織込まれた複数本の経糸である、請求項１記載の袋織テープである。
【０００８】
また請求項３の考案は、上記請求項２の袋織テープの上下の袋織紐のそれぞれの経糸が、上下に糸目を備えたヘルドの上下の糸目にそれぞれ挿通されて織込まれた経糸である、請求項２記載の袋織テープである。
【０００９】
また上記課題を解決した本願の請求項４記載の袋織テープは、平面的に展開された状態で並設された２本の袋織紐がその隣接辺部分の経糸により間欠的に連結されているというものである。
【００１０】
請求項５の考案は、請求項４記載の袋織テープにおける２本の袋織紐が、前記連結された辺で折り曲げて重ね合わせた状態で製織された袋織紐であり、前記経糸が前記重ね合わせた状態の袋織紐の１側辺で上下の袋織紐の間に掛け渡されるように開口させる操作を間欠的に行って織込まれた複数本の経糸である、請求項４記載の袋織テープである。
【００１１】
また請求項６の考案は、請求項５記載の袋織テープにおける上下の袋織紐のそれぞれの経糸が、上下に糸目を備えたヘルドの上下の糸目にそれぞれ挿通されて織込まれた経糸である、請求項５記載の袋織テープである。
【考案の効果】
【００１２】
この考案の袋織テープは、２本の袋織紐をその隣接辺部分で連結した構造であるので、テープ自体に厚みがあって肌触りが良く、厚みがあるために連結部分で折れ曲がることがなく、装飾性に優れている。
【００１３】
一重の織テープを上下に重ね合わせた状態でその一側辺が経糸で連結されるように製織した織テープは従来から知られており、またその一部に連結しない部分を間欠的に設けたボタン孔テープも従来から知られているが、このようなテープは、厚みがないために装飾性や触感が悪く、また連結した部分で折れ曲がりやすいので、衣服のストラップなどの装飾性が要求されるものには使用できない。これに対してこの考案の袋織テープは、袋織構造のために厚みがあって肌触りが良く、連結された辺部分で折れ曲がることがない。
【００１４】
この考案の袋織テープは、単位となる２本の袋織紐を上下に重ね合わせた状態で製織することにより容易に得られるが、この製織においては布４枚分の経糸が配置されることとなるので、経糸密度を高くしようとすると、ヘルドの間隔が狭くなって糸の捌きが悪くなり、ヘルドの円滑な動きが阻害されて製織することができなくなる。この問題は、糸目を上下に２個設けたヘルドを用いて、当該上下の糸目に挿通された上側経糸の開口と下側経糸の開口とに２本のニードルでそれぞれの緯糸を挿通することで、高い緯糸密度の袋織テープを製織でき、表面の滑らかさや光沢に優れた装飾性の高い袋織テープを提供できる。
【考案を実施するための最良の形態】
【００１５】
図１ないし４は、この考案の一実施例を示す図で、２本の袋織紐１、２が隣接辺相互で連結された部分３と、連結されていない部分４とを間欠的に備えた請求項４〜６の考案に係るり袋織テープの例を示した図である。図１は部分平面図、図２は非連結部分４の模式的な（糸本数を少なくして示した）横断面図、図３は連結部分３の模式的な横断面図、図４は図１のＣ‐Ｃ縦断面図である。
【００１６】
２本の袋織紐からなるこの考案の袋織テープは、図２、３の横断面図に示すように、図の左下の第１層５、左上の第２層６、右上の第３層７、右下の第４層８の４枚の織層からなっており、経糸９の間に緯糸１０が織込まれて第１、２層が形成され、経糸１１の間に緯糸１２が織り込まれて第３、４層が形成されている。そして緯糸１０、１２が各外側辺部分で後述するベラ針によって編まれた耳構造３１となっている。
【００１７】
織紐は一般にニードル織機によって製織されるので、１個の経糸開口に挿通される緯糸１０、１２は、２本添設された状態となる（図４参照）。図示のものは、２本針のニードル織機で織られており、緯糸１０が第１層と第２層、緯糸１２が第３層と第４層の緯糸となっている。
【００１８】
２本の袋織紐１、２の隣接辺部分の複数本（図では２本のみが示されている）の経糸１３は、非連結部分４では他の経糸９、１１と同様に、個々の袋織紐１、２毎に個別に緯糸１０、１２に織り込まれているが、図３に示す連結部分３では、２本の袋織紐１、２の緯糸１０、１２に交互に掛け渡した状態で織り込まれている。従って、連結部分３では、この複数本の経糸１３によって並設された２本の袋織紐１、２の隣接辺が連結され、非連結部分４では連結されないで離れた構造となる。
【００１９】
上記構造の袋織テープは、図５に示すように、上下のニードル１４、１５と、ベラ針１６、１７とを備えたニードル式のジャガード開口の織機により、２本の袋織紐１、２を上下に重ねた状態にして製織される。このとき、糸目が１個のヘルドを用いると、前述したように経糸密度に制限が生ずるので、上下に２個の糸目を有するヘルドを用いるのが好ましい。
【００２０】
図６はそのようなヘルド１８を用いてこの考案の袋織テープを製織している状態を示す側面図で、上方の袋織紐１の経糸９は、ヘルド１８の上方の糸目１９に挿通され、下方の袋織紐２の経糸１１は、下方の糸目２０に挿通されている。ヘルド１８を２つの群に分け、各群を交互に開口させて当該開口に上下の緯糸１０、１２を挿通することにより、第１層から第４層が同時に製織されてゆく。このときのヘルド１８の開口ストロークが図にａで示されている。なお、図６ではヘルドの糸目を○、△及び□で描いているが、これは糸目を区別するためにそのように表記したもので、実際は全て同じ形状（通常は長円形）でよい。
【００２１】
隣接辺部分の複数本の経糸１３を挿通したヘルド２１は、非連結部分４を織るときは、図６で示したストロークａの開口動作を行うが、連結部分３を織るときは、通常の２倍のストローク２ａで開口動作を行う。この動作により、糸目２２に挿通した下側経糸１３ｂが上側袋織紐の緯糸１０の上方にまで振られ、また、上側経糸１３ａが下側袋織紐の緯糸１２の下方にまで振られる。このように経糸１３を大きく振った状態で緯入れを行うことにより、当該経糸１３で上下の袋織紐１、２相互を連結することができる。
【００２２】
従って、２本の袋織紐１、２を連結する部分の経糸１３を挿通したヘルド２１を図６のストロークａで往復動させる動作と、ストローク２ａで往復動させる動作とを所定間隔で間欠的に行うことにより、図１に示したような２本の袋織紐が間欠的に連結された袋織テープを織ることができる。２枚重ねにして織られた２本の袋織紐１、２は、織機から引出されてゆく間に自然に展開状態となり、図１に示したような袋織テープが得られる。
【００２３】
以上は請求項４ないし６の袋織テープの実施形態であるが、連結部の経糸１３を挿通したヘルド２１を常に図６に示す２ａのように大きくストロークさせてやれば、テープの全長に亘って２本の袋織紐１、２の隣接辺相互が連結された請求項１ないし３の袋織テープを得ることができる。また、以上の説明から理解されるように、２本の袋織紐１、２の経糸と緯糸とを色違いにすることにより、色違いの２本の袋織紐が並設された構造の袋織テープを得ることができる。
【図面の簡単な説明】
【００２４】
【図１】この考案の袋織テープの一実施例を示す部分平面図
【図２】図１の袋織テープの非連結部分の模式的な横断面図
【図３】図１の袋織テープの連結部分の模式的な横断面図
【図４】２本の袋織紐の隣接辺部分の模式的な縦断面図
【図５】製織状態を示す模式的な横断面図
【図６】製織状態を示す模式的な側面図
【図７】従来構造の袋織テープによるストラップを示す模式的な平面図
【符号の説明】
【００２５】
１  袋織紐
２  袋織紐
９  経糸
11  経糸
13  経糸
【図１】
0003102779.tif 000003
【図２】
0003102779.tif 000004
【図３】
0003102779.tif 000005
【図４】
0003102779.tif 000006
【図５】
0003102779.tif 000007
【図６】
0003102779.tif 000008
【図７】
0003102779.tif 000009